(57)【要約】【課題】美観に優れたアクセサリーを提供する。【解決手段】アクセサリー１０は、人体に装着可能な装着部１２と、装着部１２に接続された土台部１４と、土台部１４に掛けられた糸３０によって幾何学模様を構成する装飾部１６と、を備える。【選択図】図１
0003234875.tif 000002
【実用新案登録請求の範囲】
【請求項１】
人体に装着可能な装着部と、
前記装着部に接続された土台部と、
前記土台部に掛けられた糸によって幾何学模様を構成する装飾部と、
を備えるアクセサリー。
【請求項２】
前記土台部は、空洞部を有するように環状に形成されており、
前記装飾部は、前記空洞部に前記幾何学模様を構成する、
請求項１に記載のアクセサリー。
【請求項３】
前記土台部は、前記糸を通す孔部を有し、
前記糸は、前記孔部を通って前記土台部に掛けられている、
請求項１又は２に記載のアクセサリー。
【考案の詳細な説明】
【技術分野】
【０００１】
本考案は、アクセサリーに関する。
【背景技術】
【０００２】
従来から、木製の板等の台にピンを打って当該ピンに糸を掛けることにより作る糸かけ曼荼羅という造形物が知られている。
【０００３】
これに関し、例えば、特許文献１には、糸かけ曼荼羅を含むストリングアートを作るためのクリアボードを提供する技術が開示されている。
【先行技術文献】
【特許文献】
【０００４】
【特許文献１】登録実用新案公報第３２２５５３７号
【考案の概要】
【考案が解決しようとする課題】
【０００５】
ところで、指輪やネックレス等の人が身に着けるアクセサリーにおいては、美観に優れたデザインが求められる。そこで、本考案者は、糸かけ曼荼羅のようなアート性の高い造形物をアクセサリーに応用することができれば美観に優れたアクセサリーを得られるという考えに至った。しかしながら、例えば上記特許文献１に記載の技術のようにクリアボート上にピンを打って当該ピンに糸を掛けて作るストリングアートは、壁掛けや立て掛け用のアートとしては適しているが、人が身に着けるアクセサリーとしては適さない場合がある。
【０００６】
本考案はこのような課題に鑑みてなされたものであり、その目的は美観に優れたアクセサリーを提供することにある。
【課題を解決するための手段】
【０００７】
本考案の第一態様に係るアクセサリーは、人体に装着可能な装着部と、前記装着部に接続された土台部と、前記土台部に掛けられた糸によって幾何学模様を構成する装飾部と、を備える。
【０００８】
また、本考案の第二態様に係るアクセサリーでは、前記土台部は、空洞部を有するように環状に形成されており、前記装飾部は、前記空洞部に前記幾何学模様を構成する。
【０００９】
また、本考案の第三態様に係るアクセサリーでは、前記土台部は、前記糸を通す孔部を有し、前記装飾部は、前記孔部を通って前記土台部に掛けられている。
【考案の効果】
【００１０】
本考案によれば、美観に優れたアクセサリーを提供することができる。
【図面の簡単な説明】
【００１１】
【図１】本考案の一実施形態に係るアクセサリーの正面図の一例である。
【図２】変形例に係るアクセサリーの正面図の一例である。
【図３】変形例に係るアクセサリーの正面図の一例である。
【図４】変形例に係るアクセサリーの正面図の一例である。
【考案を実施するための形態】
【００１２】
図１は、本考案の実施形態（以下、「本実施形態」という。）に係るアクセサリーの正面図の一例である。
【００１３】
図１に示すように、アクセサリー１０は、装着部１２と、土台部１４と、装飾部１６と、を備える。アクセサリー１０としては、人体の例えば指、首、手首、足首、耳等に装着可能な様々なアクセサリーであって、指輪、ブレスレット、ネックレス、アンクレット、イヤリング、ピアス等が挙げられる。本実施形態では、アクセサリー１０がネックレスである場合を説明する。
【００１４】
装着部１２は、アクセサリー１０を人体に装着可能にする機能を有する。装着部１２は、例えば、首に通して装着可能な輪状の紐１８と、土台部１４に固定された取付金具２０と、を有する。取付金具２０は、その一端が紐１８を通すように輪状を呈しており、その他端が土台部１４に差し込まれるようにねじ状を呈している。
【００１５】
土台部１４は、装飾部１６を構成するための土台としての機能を有する。土台部１４は、装着部１２の取付金具２０に接続されている。土台部１４は、例えば木製であり、空洞部２２を有するように環状に形成されている。環状とは、中央部に穴の開いた輪のような形状であって、正円形状に限らず、楕円形状、卵形状、雫形状等を含む。土台部１４は、糸３０を通す複数の孔部２４を有する。孔部２４は、糸３０が通る大きさの径を有する。土台部１４において、複数の孔部２４が、互いに略等間隔に形成されている。
【００１６】
装飾部１６は、アクセサリー１０の美観に作用するデザインとしての機能を有する。装飾部１６は、土台部１４に掛けられた糸３０を有し、当該糸３０によって幾何学模様を構成する。装飾部１６は、土台部１４上に張り巡らされた糸３０によって、土台部１４の空洞部２２に幾何学模様を構成する。糸３０は、土台部１４の孔部２４を通ることで、ピン等を介することなく土台部１４に直接掛けられている。糸３０は、土台部１４の両面のそれぞれに張り巡らされており、土台部１４の両面に幾何学模様を構成する。
【００１７】
また、装飾部１６は、糸３０によって構成される幾何学模様の中央に配置された石３２を有する。石３２は、球状を呈している。石３２には貫通孔が形成されており、石３２は、当該貫通孔を通った糸３０を土台部１４の直径方向に張ることで保持され、更に土台部１４の両面に張り巡らされた糸３０に挟まれるように保持されている。
【００１８】
以上、本実施形態に係るアクセサリー１０は、人体に装着可能な装着部１２と、装着部１２に接続された土台部１４と、土台部１４に掛けられた糸３０によって幾何学模様を構成する装飾部１６と、を備える。
この構成によれば、アクセサリー１０は、幾何学模様を構成する装飾部１６を備えることにより、糸かけ曼荼羅のようなアート性の高い造形物を含む。よって、美観に優れたアクセサリー１０を提供することができる。
【００１９】
また、本実施形態では、土台部１４は、空洞部２２を有するように環状に形成されており、装飾部１６は、空洞部２２に幾何学模様を構成する。
この構成によれば、空洞部２２に幾何学模様が構成されるので、幾何学模様の背景に余計な構造物がない状態となり、幾何学模様の美観をより高めることができる。
【００２０】
また、本実施形態では、土台部１４は、糸３０を通す孔部２４を有し、糸３０は、孔部２４を通って土台部１４に掛けられている、
この構成によれば、ピン等で固定しなくても、土台部１４の孔部２４に糸３０を通すことにより、土台部１４に安定して糸３０を掛けることができる。
【００２１】
なお、本考案は、上記実施形態に限定されるものではなく、本考案の主旨を逸脱しない範囲で自由に変更できることは勿論である。あるいは、技術的に矛盾が生じない範囲で各々の構成を任意に組み合わせてもよい。
【００２２】
以下、図２〜図４を参照して、上記実施形態の変形例について説明する。図２〜図４は、変形例に係るアクセサリー１０の正面図の一例である。図２〜図４に示すように、変形例に係るアクセサリー１０は、例えば耳に装着するピアスとして構成されている。装着部１２は、耳に装着可能なピアス金具３４と、土台部１４に固定された丸環金具３６と、を有する。土台部１４は、装着部１２の丸環金具３６に接続されている。土台部１４は、金属製であって、ワイヤー状に細長く延伸されて環状に形成されており、孔部２４を有していない。
【００２３】
装飾部１６は、ワイヤー状の土台部１４に通された複数のビーズ３８を有する。複数のビーズ３８は、土台部１４に通されることで互いに隣接して並んでいる。糸３０は、このビーズ同士の間を通るように土台部１４に掛けられており、土台部１４の空洞部２２に幾何学模様を構成する。ビーズ３８同士の間を通るように糸３０が土台部１４に掛けられることにより、ピン等によらなくても安定して糸３０を土台部１４に固定することができる。
【００２４】
なお、糸３０によって構成される幾何学模様は、上下左右対称でなくてもよい。また、土台部１４に張り巡らされた糸３０の密度は一定でなくてもよく、密な部分と疎な部分とが混在していてもよい。また、装飾部１６は、図３や図４に示すように、土台部１４に固定されたモチーフパーツ４０等、糸３０や石３２以外の様々な装飾パーツを有してもよい。
【符号の説明】
【００２５】
１０：アクセサリー、１２：装着部、１４：土台部、１６：装飾部
【図１】
0003234875.tif 000003
【図２】
0003234875.tif 000004
【図３】
0003234875.tif 000005
【図４】
0003234875.tif 000006